(57)【特許請求の範囲】
【請求項１】
建物開口部に取り付けられる枠体と、樹脂製の縦横框材を溶着して四周組みして成る障子と、縦横框材の中空部内に略全長に亘って配置される補強材と、縦框材と横框材の中空部内に配置される補強材同士を接続する連結手段とを有し、
縦框材の中空部内に配置される補強材と横框材の中空部内に配置される補強材は、端部が略４５度の角度で切断され、補強材の外周側面の長手方向端面同士及び補強材の内周側面の長手方向端面同士がそれぞれ近接して配置してあり、縦横框材を溶着固定することで連結位置に配置されるものであり、
吊元側の上下位置に配置される連結手段は、樹脂框の内周面から縦框内に配置される縦補強材と横框内に配置される横補強材の内周側面同士を連結するＬ字型の連結金具と、樹脂框の外周面から前記縦補強材と前記横補強材の外周側面同士を連結するＬ字型の戸先下がり防止金具とからなる
ことを特徴とするサッシ。
【発明の詳細な説明】
【技術分野】
【０００１】
本発明は、樹脂製の縦横框材同士を溶着により四周組してなる樹脂製の障子を備えるサッシに関する。
【背景技術】
【０００２】
近年、枠体及び框体を樹脂により形成してなる樹脂サッシが周知となっているが、樹脂サッシにおいても、防火性能を高めることは必須の事項となっている。そして、樹脂サッシにおいて、樹脂製の枠体及び框体の中空部内に補強材を配置して、火災時に樹脂製の枠体や框体が溶融しても、框体に保持されたガラスの落下を防止することができる樹脂サッシが知られている。
【先行技術文献】
【特許文献】
【０００３】
【特許文献１】特許第４２２９２８６号
【発明の概要】
【発明が解決しようとする課題】
【０００４】
上記先行技術文献のサッシの樹脂製障子は、樹脂框材の中空内部に配置された金属補強材の端部同士がコーナー金具によって連結されることで四周に組まれ、樹脂框材の内部に配置されているが、上記先行技術文献のコーナー金具は、樹脂框材が溶融した場合であっても各框材内に設けた金属補強材が方形枠状を維持させるためのものであった。
ここで、樹脂製の框材の中空部内に金属製の補強材を配置した框材により構成される障子は、樹脂製の框材の強度に対して金属製の補強材の重量が負担となり、経年の使用により、障子自体が変形してしまうおそれがあった。
特に、吊元側の縦框材内の補強材をヒンジ等により支持しても、上下及び戸先側の金属補強材及び樹脂框枠の重量は、吊元側の縦框材と上下の横框材の連結部、すなわち吊元側の上下コーナー部に集中してかかることとなるので、補強材を連結しているコーナー金具が屈曲して四周に組まれた金属補強材が変形してしまい、障子の戸先側が下がってしまう可能性があった。
【０００５】
本発明は、上記の事情を鑑みたものであり、樹脂框の中空内部に金属製の補強材を配置した障子の強度を向上させ、戸先下がりを防止することを目的とするものである。
【課題を解決するための手段】
【０００６】
本発明は、建物開口部に取り付けられる枠体と、樹脂製の縦横框材を溶着して四周組みして成る障子と、縦横框材の中空部内に略全長に亘って配置される補強材と、縦框材と横框材の中空部内に配置される補強材同士を接続する連結手段とを有し、縦框材の中空部内に配置される補強材と横框材の中空部内に配置される補強材は、端部が略４５度の角度で切断され、補強材の外周側面の長手方向端面同士及び補強材の内周側面の長手方向端面同士がそれぞれ近接して配置してあり、縦横框材を溶着固定することで連結位置に配置されるものであり、吊元側の上下位置に配置される連結手段は、樹脂框の内周面から縦框内に配置される縦補強材と横框内に配置される横補強材の内周側面同士を連結するＬ字型の連結金具と、樹脂框の外周面から前記縦補強材と前記横補強材の外周側面同士を連結するＬ字型の戸先下がり防止金具とからなることを特徴とする。
【発明の効果】
【０００７】
樹脂框の内部に配置される金属補強材に対して、特に負荷がかかる箇所の強度を効率的に向上させることができ、障子の戸先下がり等の変形を防止できる。
【図面の簡単な説明】
【０００８】
【図１】本発明の実施形態に係るサッシの内観図である。
【図２】本発明の実施形態に係るサッシの縦断面図である。
【図３】本発明の実施形態に係るサッシの横断面図である。
【図４】本発明の実施形態に係るサッシの吊元側縦部材の拡大横断面図である。
【図５】（ａ）は、本発明の実施形態に係るサッシの吊元側上端部の拡大正面図であり、（ｂ）は、吊元側上端部近傍の吊元側縦框の横断面図である。
【発明を実施するための形態】
【０００９】
本発明の実施形態に係るサッシについて、図面を参考にして説明する。
（全体の構成）
図１に示すように、本発明の実施形態に係るサッシは、上下左右の各枠を四周組にしてなり、建物の開口部に配置される枠体１と、上框２１，下框２２，吊元側の左縦框２３及び戸先側の右縦框２４を四周組にしてなる框枠にガラスを嵌め込んでなる障子２とからなり、枠体１に対して障子２を丁番６により開閉自在に支持して構成されている。
障子２を構成する各框２１，２２，２３，２４は、樹脂による中空押出成形により形成された各框材の中空部内に例えばスチール等の金属製の補強材４（図１において、点線で示す。）が配置されて形成されており、障子２の四隅においては、各補強材４同士が連結金具５１により連結され、特に、吊元側の上下隅部においては、戸先下がり防止金具５２により補強材４同士が連結されている。
【００１０】
（枠体の構成）
本発明の実施形態に係るサッシの枠体について説明する。
枠体１を構成する上枠１１、下枠１２、左、右縦枠１３，１４は、図２、３に示すように、各枠の本体を形成する樹脂製の上枠材１１１、下枠材１２１、左、右縦枠材１３１，１４１と、樹脂製の上枠材１１１、下枠材１２１、左右縦枠材１３１，１４１の中空部内に配置された断面略Ｕ字状をなす金属製の補強材３１，３２，３３，３４とから構成されている。
上枠材１１１、下枠材１２１、左、右縦枠材１３１，１４１は、中空の矩形形状をなす枠本体部１１１ａ，１２１ａ，１３１ａ，１４１ａと、枠本体部１１１ａ，１２１ａ，１３１ａ，１４１ａの室内側に連続する中空の室内側壁１１１ｂ，１２１ｂ，１３１ｂ，１４１ｂとから構成されており、補強材３１，３２，３３，３４は、枠本体部１１１ａ，１２１ａ，１３１ａ，１４１ａの中空部内に配置されている。
【００１１】
上枠材１１１、下枠材１２１、左、右縦枠材１３１，１４１の外周面の見込み方向中間付近には、外周方向に向けて取付片部１１１ｃ，１２１ｃ，１３１ｃ，１４１ｃが延設されており、また、上枠材１１１、下枠材１２１、左、右縦枠材１３１，１４１の外周端室内側には、室内方向に向けて室内側取付片部１１１ｄ，１２１ｄ，１３１ｄ，１４１ｄが延設されており、金属製のアングル材（図４の符号３３５）等を挟んでネジ等の固定手段により建物開口部に固定されることで、枠体１が建物開口部に取り付けられている。
【００１２】
（障子の構成）
本発明の実施形態に係るサッシの障子について説明する。
障子２を構成する上框２１、下框２２、左、右縦框２３，２４は、図２、３に示すように、各框の本体を形成する樹脂製の上框材２１１、下框材２２１、左、右縦枠材２３１，２４１と、上框材２１１、下框材２２１、左、右縦框材２３１，２４１の中空部内に配置された断面略Ｕ字状をなす金属製の補強材４１，４２，４３，４４と、上框材２１１、下框材２２１、左、右縦框材２３１，２４１の室外側内周部に取り付けられてガラス間口を構成する中空状の押縁部材２１２，２２２，２３２，２４２とから構成されている。
【００１３】
上框材２１１、下框材２２１、左、右縦框材２３１，２４１は、中空の矩形形状をなす框本体部２１１ａ，２２１ａ，２３１ａ，２４１ａと、框本体部２１１ａ，２２１ａ，２３１ａ，２４１ａの室外側に連続し、外周側に突出する中空状の室外側壁２１１ｂ，２２１ｂ，２３１ｂ，２４１ｂと、框本体部２１１ａ，２２１ａ，２３１ａ，２４１ａの室内側内周面に連続してガラス間口の室内側を構成する中空状のガラス間口壁２１１ｃ，２２１ｃ，２３１ｃ，２４１ｃとから構成されており、補強材４１，４２，４３，４４は、框本体部２１１ａ，２２１ａ，２３１ａ，２４１ａ内に配置されている。
押縁部材２１２，２２２，２３２，２４２は、室外側壁２１１ｂ，２２１ｂ，２３１ｂ，２４１ｂの内周端面に取り付けられて、ガラス間口壁２１１ｃ，２２１ｃ，２３１ｃ，２４１ｃとともにガラス間口を形成している。
そして、丁番６によって枠体１に支持された障子２の戸先側の右縦框２４と右縦枠１４との間には、ロック機構８１が設けられるとともに、上框２１と上枠１１との間及び下框２２と下枠１２との間には、アームストッパー８２が設けられている。
【００１４】
（補強材による補強構造）
次に、図４に示す吊元側の左縦枠１３及び左縦框２３を用いて、本発明の実施形態のサッシの障子の補強材による補強構造について、さらに詳細に説明する。なお、図２，３からわかるように、各枠及び各框についても、その断面形状や補強構成等の基本的な構成は同じである。
【００１５】
左縦枠１３の左縦枠材１３１は、枠本体部１３１ａと、枠本体部１３１ａの室内側に連続する室内側壁１３１ｂとから構成されており、室内側壁１３１ｂは枠本体部１３１ａよりも内周方向に突出して、突出した部分は障子２の左縦框２３の室内側面と重複している。なお、室内側壁１３１ｂの突出した部分には、障子２の左縦框２３の室内側面に当接するシール材ｓ１が配置されてサッシの室内側気密ラインを形成している。
室内側壁１３１ｂの中空内部の左右方向中間位置付近（枠本体部１３１ａの内周面付近）には、中間壁が形成されており、室内側壁１３１ｂが外周側中空部と内周側中空部とに分割され、室内側壁１３１ｂの強度を向上させている。
室内側壁１３１ｂの外周側中空部と内周側中空部には、それぞれ金属製の長尺状の補強材３３２及び補強材３３３が左縦枠材１３１の長さ方向全長に亘って挿入されており、室内側壁１３１ｂの外周より挿入される長ビス３３４により両補強材３３２，３３３が連結されている。
【００１６】
また、左縦枠材１３１の枠本体部１３１ａの中空部内に配置される長尺状の補強材３３は、外周辺部３３ａと、内周辺部３３ｂと、外周辺部３３ａと内周辺部３３ｂとを連結する室外辺部３３ｃとから構成され、その断面は略Ｕ字状に形成されており、その開口部を室内側に向けて枠本体部１３１ａの中空部内に配置されている。
補強材３３の外周辺部３３ａは、ネジ等の固定手段により枠本体部１３１ａの外周面に対してＬ字状のアングル材３３５とともに固定され、内周辺部３３ｂは、室内側壁１３１ｂ内に挿入された補強材３３３に対してＬ字状のアングル材３３６を介してビス等の連結手段により連結されており、左縦枠１３の枠本体部１３１ａの内部と室内側壁１３１ｂの内部に配置された各補強材３３，３３２，３３３が一体的に連結され、火災時に樹脂部分が溶融した際にも各補強材３３，３３２，３３３が分解することなく、縦枠としての機能を維持するように構成されている。
【００１７】
そして、補強材３３の室外辺部３３ｃには、室外側よりネジ等の固定手段により丁番６の枠側ウイング６１が枠本体部１３１ａを挟んで固定されるとともに、補強材３３の内周辺部３３ｂには、障子２の反りを防止する反り防止手段７の反り防止金具受け７２が枠本体部１３１ａを挟んでネジ等の固定手段により、固定されている。
【００１８】
一方、左縦框２３の左縦框材２３１は、中空の矩形形状をなす框本体部２３１ａと、框本体部２３１ａの室外側に連続し、外周側に突出する中空状の室外側壁２３１ｂと、框本体部２３１ａの室内側内周面に連続してガラス間口の室内側を構成する中空状のガラス間口壁２３１ｃとから構成されており、框本体部２３１ａの外周面には、外周に向けて開口する溝状のレール部２３１ｄが形成されている。
【００１９】
室外側壁２３１ｂは、その框本体部２３１ａよりも外周側に突出する部分が独立した中空部として形成されており、突出した部分は左縦枠１３の室外側面と重複するとともに、その外周面は丁番６の障子側ウイング６２を固定するための丁番固定部として構成されている。なお、室外側壁２３１ｂの突出した部分には、左縦枠１３の室外側面に当接するシール材ｓ２が配置されてサッシの室外側気密ラインを形成している。
また、框本体部２３１ａにおけるレール部２３１ｄの室内側の部分は、独立した中空部として形成されており、その外周面が反り防止手段７の反り防止金具７１を固定するための反り防止金具固定部として構成されている。
そして、室外側壁２３１ｂの前記中空部（丁番固定部）内には、金属製で長尺状の補強材４３２が配置され、丁番６の障子側ウイング６２がネジ等の固定手段により丁番固定部に固定されており、框本体部２３１ａにおけるレール部２３１ｄの室内側の中空部（反り防止金具固定部）内には、金属製で長尺状の補強材４３３が配置されており、反り防止金具７１がネジ等の固定手段により反り防止金具固定部に固定されている。
さらに、框本体部２３１ａのレール部２３１ｄの底部から室外側壁２３１ｂの中空部（丁番固定部）の室内側面にかけて、左縦框２３の外周面を覆うようにクランク状に屈曲形成された補強材４３４が配置されており、補強材４３４と室外側壁２３１ｂの中空部（丁番固定部）内に配置された補強材４３２が、ネジ等の固定手段により連結されている。
【００２０】
框本体部２３１ａの中空部内には、外周辺部４３ａと、内周辺部４３ｂと、室外辺部４３ｃとから構成される断面略Ｕ字状の補強材４３が、その開口を室内側に向けて框本体部２３１ａの全長に亘って配置されており、断面略Ｕ字状の補強材４３の開口部内部には、火災時等の熱により膨張する加熱膨張材ｆが配置されている。
補強材４３の外周辺部４３ａには、補強材４３４及び補強材４３３がビス等の連結手段により連結されており、反り防止手段７と丁番６とを補強材４３の一辺（外周辺部４３ａ）により間接的に連結している。
さらに、補強材４３の内周辺部４３ｂには、ガラス間口内に配置された補強材４３５がビス等の連結手段により連結されている。
【００２１】
（戸先下がり防止）
本発明の実施形態に係るサッシの障子においては、各框２１，２２，２３，２４に配置された金属製の補強材４１，４２，４３，４４（図１において点線で示す）は、各框２１，２２，２３，２４の長さ方向略全長に亘って配置されており、各框２１，２２，２３，２４の連結部、すなわち四隅部において、補強材４１，４２，４３，４４の内周面が連結金具５１により連結されるとともに、吊元側の上下隅部において、補強材４１，４２，４３，４４の外周面が戸先下がり防止金具５２により連結されることで、障子の戸先下がりを防止している。
【００２２】
以下、連結部材５１及び戸先下がり防止部材５２による障子の戸先下がり防止構造について、図５に示す吊元側の上隅部を参考に示しながら、さらに説明する。
上框２１及び吊元側の框である左縦框２３に配置された補強材４１，４３は、図５（ｂ）に示すように、断面略Ｕ字状をなし、その開口を室内側に向けて配置されるとともに、その端部は、図５（ａ）に示すように、略４５度の角度で切断され、上框２１及び左縦框２３の接合部分において、補強材４１，４３の切断面同士を対向させた状態で配置されている。
したがって、補強材４１，４３は、框本体部２１１ａ，２３１ａの中空部内で、内周辺部４１ｂ，４３ｂ同士、及び、外周辺部４１ａ，４３ａ同士を近接させて配置させることができるので、框本体部２１１ａ，２３１ａの内周側であるガラス間口の底部よりＬ字状の連結金具５１をビス等により固定することで、補強材４１，４３の内周辺部４１ｂ,４３ｂ同士を連結することができる。
【００２３】
また、框本体部２１１ａ，２３１ａの外周側に設けられたレール部２１１ｄ，２３１ｄ内にＬ字状の戸先下がり防止金具５２を配置して、框本体部２１１ａ，２３１ａの外周、すなわちレール部２１１ｄ，２３１ｄの底部に戸先下がり防止金具５２をビス等により固定することで、外周辺部４１ａ，４３ａ同士を連結することができる。
このように、障子２の吊元側においては、補強材４１，４３を内周側から連結する連結金具５１に加えて、補強材４１，４３を外周側から連結する戸先下がり防止金具５２を固定することにより、障子２の戸先側にかかる重量により隅部に生じる框材同士を引き離して戸先を下げようとする力（図５の矢印ｘ）に対して、補強材４１，４３を外周から連結する金属製の戸先下がり防止金具５２により抵抗することができる。
【００２４】
そして、框本体部２１１ａ，２３１ａ内に配置される補強材４１，４３の端部が４５度の角度で切断され、切断面を対向させて配置されているので、補強材４１，４３の外周辺部４１ａ，４３ａ同士、及び内周辺部４１ｂ,４３ｂ同士を近接させて、補強材４１，４３を框本体部２１１ａ，２３１ａの略全長に亘って配置することができ、樹脂製の框本体部２１１ａ，２３１ａを溶着固定することによって、補強材４１，４３が連結位置に自然と配置されることとなる。したがって、框本体部２１１ａ，２３１ａの外周側及び内周側の連結角部に配置した連結金具５１及び戸先下がり防止金具５２により、補強材４１，４３を簡単に連結固定することができる。
しかも、内周側を連結する連結金具５１は、ガラス間口内に配置され、外周側を連結する戸先下がり防止金具５２は、框本体部２１１ａ，２３１ａの外周面に形成されたレール部２１１ｄ，２３１ｄ内に配置されるので、ガラス間口にガラスが装着された後は、連結金具５１及び戸先下がり防止金具５２が障子２の外部に露出することがなく、両金具の腐食を抑制することができるとともに、意匠的にも優れている。
【００２５】
以上のように、本発明の実施形態に係るサッシにおいては、障子の吊元側において、樹脂製の框本体部の中空部内に配置された縦框内の補強材と上下框内の補強材とを、両補強材の内周側に配置される連結金具により連結するとともに、両補強材の外周側に配置される戸先下がり防止金具により連結しているので、戸先側にかかる重量により吊元側の隅部にかかる連結面を離して戸先を下げようとする力に対して、金属製の戸先下がり防止金具により、有効に対抗することができる。
【００２６】
また、樹脂製の框本体部の中空部内に配置される補強材の端部を４５度の角度で切断して、補強材の内周辺部及び外周辺部を近接した状態で配置することができるので、連結金具及び戸先下がり防止金具により連結をする際に、連結金具や戸先下がり防止金具及び補強材の位置を気にする必要はなく、樹脂製の框体を溶着により組んだ後に樹脂製の框本体部の外周側及び内周側角部に連結金具及び戸先下がり防止金具を配置して固定することで自然と補強材の端部同士を連結することができるので、補強作業が簡易である。
しかも、連結金具及び戸先下がり防止金具は、框本体部の外周側及び内周側から補強材を連結しても、ガラスを装着した後は外部に露出することがなく、腐食等が防止でき、意匠的にもすぐれている。
【符号の説明】
【００２７】
１        ：枠体
１１      ：上枠
１１１    ：上枠材
１１１ａ  ：枠本体部
１１１ｂ  ：室内側壁
１１１ｃ  ：取付片部
１１１ｄ  ：室内側取付片部
１２      ：下枠
１２１    ：下枠材
１２１ａ  ：枠本体部
１２１ｂ  ：室内側壁
１２１ｃ  ：取付片部
１２１ｄ  ：室内側取付片部
１３      ：左縦枠
１３１    ：左縦枠材
１３１ａ  ：枠本体部
１３１ｂ  ：室内側壁
１３１ｃ  ：取付片部
１３１ｄ  ：室内側取付片部
１４      ：右縦枠
１４１    ：右縦枠材
１４１ａ  ：枠本体部
１４１ｂ  ：室内側壁
１４１ｃ  ：取付片部
１４１ｄ  ：室内側取付片部
２        ：障子
２１      ：上框
２１１    ：上框材
２１１ａ  ：框本体部
２１１ｂ  ：室外側壁
２１１ｃ  ：ガラス間口壁
２１２    ：押縁部材
２２      ：下框
２２１    ：下框材
２２１ａ  ：框本体部
２２１ｂ  ：室外側壁
２２１ｃ  ：ガラス間口壁
２２２    ：押縁部材
２３      ：左縦框
２３１    ：左縦框材
２３１ａ  ：框本体部
２３１ｂ  ：室外側壁
２３１ｃ  ：ガラス間口壁
２３１ｄ  ：レール部
２３２    ：押縁部材
２４      ：右縦框
２４１    ：右縦框材
２４１ａ  ：框本体部
２４１ｂ  ：室外側壁
２４１ｃ  ：ガラス間口壁
２４２    ：押縁部材
３１      ：補強材
３２      ：補強材
３３      ：補強材
３３ａ    ：外周辺部
３３ｂ    ：内周辺部
３３ｃ    ：室外辺部
３３２    ：補強材
３３３    ：補強材
３３４    ：長ビス
３３５    ：アングル材
３３６    ：アングル材
３４      ：補強材
４        ：補強材
４１      ：補強材
４２      ：補強材
４３      ：補強材
４３ａ    ：外周辺部
４３ｂ    ：内周辺部
４３ｃ    ：室外辺部
４３２    ：補強材
４３３    ：補強材
４３４    ：補強材
４３５    ：補強材
４４      ：補強材
５１      ：連結金具
５２      ：戸先下がり防止金具
６        ：丁番
６１      ：枠側ウイング
６２      ：障子側ウイング
７        ：反り防止手段
７１      ：反り防止金具
７２      ：反り防止金具受け
【図１】
0006615502.tif 000002
【図２】
0006615502.tif 000003
【図３】
0006615502.tif 000004
【図４】
0006615502.tif 000005
【図５】
0006615502.tif 000006